(57)【要約】      （修正有）【課題】ロールから引き出した粘着テープを切断した後に、再度粘着テープを引き出す作業が容易で、しかもコンパクトな粘着テープカッターを提供する。【解決手段】開閉可能な環状部を有する本体１と、粘着テープの引き出し口７と、粘着テープの粘着面が粘着する粘着部６と、粘着テープが粘着しない非粘着部８と、本体に回動軸を介して取り付けられたカッター部とを具備してなる。粘着部と非粘着部は、粘着テープの引き出し口から、粘着テープの引き出し方向に順に設けられ、カッター部は、先端に設けられたカッター刃４が、粘着テープにおける非粘着部より延長した部分に当接するように取り付けられ、かつカッター刃と回動軸の間に折り曲げ部を有し、環状部により粘着テープロールの周の一部に周方向に移動可能な状態で本体が取り付けられてなる。【選択図】図１
0003170978.tif 000002
【実用新案登録請求の範囲】
【請求項１】
プラスチックテープやクラフトテープをカットする時、取り出したテープが、張り付く面と、張り付かない面を設け、テープが引っ込まないように、なっていると同時に取り出し易いようになっている。張り付く面は、テープが張り付く材質を用い、張り付かない面は、粘りつかない材質を用いたことを、特徴とする。切断刃を取り付けた部分は、折り曲げ部分を２箇所設け、開けたり締めたりがし易いし、切断する時、指で押さえる事が出来るため、切断し易いことを特徴とする。
カッター具をテープ本体に取り付ける部分は、輪状の、取り外し自在の形としたため、コンパクトになったことを、特徴とする。
【考案の詳細な説明】
【技術範囲】
【０００１】    テープ類を切断した後、引っ込まないし、取り出しやすくした、カッター具である。
【背景技術】
【０００２】    切断した後、引っ込んでしまい、取り出し難くくなったり、カッター具が、大きい物だったりする。
【考案の開示】
【考案が解決しようとする課題】
【０００３】    切断した、テープが、引っ込んでしまい、取り出し難くく、ならないようにした。大きかったりするので、コンパクトな物にした。
【課題を解決するための手段】
【０００４】    土台となる箇所に、張り付く面を設け、引っ張り出した、テープが張り付くため、引っ込まないようにした。又折り曲げ部分に張り付かない面を設けたことにより、取り出しやすくなった。【０００５】    切断用の金具を付けた部分に２箇所の、折り曲げ部分を設け、開放自在にし、１箇所は、テープが引っ張り出しやすくし、２箇所目は、指で押さえ、テープを固定して、切り易くした。【０００６】    テープ本体に、カッター具を取り付ける部分を、つけたり、外したり可能型にし、カッター具がコンパクトになった物である。
【考案の効果】
【０００７】    テープが引っ込まないこと、取り出しやすいこと、切断し易いこと、カッター具がコンパクトなこと。
【図面の簡単な説明】
【０００８】
【図１】  側面図
【符号の説明】
【０００９】１              テープに接合部分
２              １の接合
３              カッター刃
４              折り曲げ箇所
５              接着面
６              空洞
７              張り付かない面
８              土台
【図１】
0003170978.tif 000003
【図２】
0003170978.tif 000004
【手続補正書】
【提出日】平成23年7月4日(2011.7.4)
【手続補正１】
【補正対象書類名】実用新案登録請求の範囲
【補正対象項目名】全文
【補正方法】変更
【補正の内容】
【実用新案登録請求の範囲】
【請求項１】
開閉可能な環状部を有する本体と、粘着テープの引き出し口と、粘着テープの粘着面が粘着する粘着部と、粘着テープが粘着しない非粘着部と、前記本体に回動軸を介して取り付けられたカッター部とを具備してなる粘着テープカッターにおいて、前記粘着部と非粘着部は、前記粘着テープの引き出し口から、前記粘着テープの引き出し方向に順に設けられ、前記カッター部は、先端に設けられたカッター刃が、前記粘着テープにおける前記非粘着部より延長した部分に当接するように取り付けられ、かつカッター刃と前記回動軸の間に折り曲げ部を有し、前記環状部により粘着テープロールの周の一部に周方向に移動可能な状態で本体が取り付けられてなることを特徴とする粘着テープカッター。
【手続補正２】
【補正対象書類名】明細書
【補正対象項目名】全文
【補正方法】変更
【補正の内容】
【考案の詳細な説明】
【技術分野】
【０００１】  本考案は、ロール状に巻き取られた粘着テープにおける。ロールの周の一部に取り付けられて用いられる粘着テープカッターに関するものである。
【背景技術】
【０００２】  プラスッチック製のフィルムや布の少なくとも片面に粘着剤が塗布された粘着テープは、ロール状に巻き取られた状態で販売されていて、使用に際しては粘着テープの端部をロールから剥離し、必要な長さに引き出して切断する。【０００３】  切断した後、粘着テープの引き出した部分が、引っ込んだり、ロールに粘着したりして、次の使用の際に取り出し難くなるという問題がある。また、カッターが大きくて取扱いが不便を感じることがある。
【考案の概要】
【考案が解決しようとする課題】
【０００４】  本考案の課題は、ロールから引き出した粘着テープを切断した後に、再度粘着テープを引き出す作業が容易で、しかもコンパクトな粘着テープカッターを提供することである。
【課題を解決する手段】
【０００５】  本考案は、開閉可能な環状部を有する本体と、粘着テープの引き出し口と、粘着テープの粘着面が粘着する粘着部と、粘着テープが粘着しない非粘着部と、前記本体に回動軸を介して取り付けられたカッター部とを具備してなる粘着テープカッターにおいて、前記粘着部と非粘着部は、前記粘着テープの引き出し口から、前記粘着テープの引き出し方向に順に設けられ、前記カッター部は、先端に設けられたカッター刃が、前記粘着テープにおける前記非粘着部より延長した部分に当接するように取り付けられ、かつカッター刃と前記回動軸の間に折り曲げ部を有し、前記環状部により粘着テープロールの周の一部に周方向に移動可能な状態で本体が取り付けられてなることを特徴とする粘着テープカッターである。
【考案の効果】
【０００６】  本考案の粘着テープカッターの本体には、粘着面部と非粘着部が設けられ、カッター刃が非粘着部よりも、粘着テープを延長した部分に当接するように取り付けられているので、粘着テープを切断した後に、引き出した部分が粘着テープのロールに貼り付くことがないので、次の使用が容易になる。
【０００７】  また、カッター刃と本体の間に回動軸と折り曲げ部が設けられているので、粘着テープの引き出しと切断が容易である。さらに、本体に開閉可能な環状が設けられているので、粘着テープのロールの周の一部に、容易に取り付けることができる。
【図面の簡単な説明】
【０００８】
【図１】  本考案に係る粘着テープカッターの一例を、粘着テープを引き出す側から示した斜視図。
【図２】  本考案に係る粘着テープカッターの一例を、粘着テープを引き出す側の反対側から示した斜視図。
【図３】  本考案に係る粘着テープカッターの一例を、粘着テープのロールに取り付けた状態を示す図。
【考案を実施するための形態】
【０００９】  図１は、本考案に係る粘着テープカッターの一例を、粘着テープを引き出す側から示した斜視図、図２は、本考案に係る粘着テープカッターの一例を、粘着テープを引き出す側の反対側から示した斜視図、図３は、本考案に係る粘着テープカッターの一例を、粘着テープのロールに取り付けた状態を示す図である。
【００１０】  これらの図に示したように、本考案の粘着テープカッター９においては、粘着テープ引き出し口７から引き出された粘着テープの先端１１が粘着部６に固定され、カッター刃４で切断されたのちに、粘着テープのロール１０に貼り付くことがなく、次回の引き出し切断が容易に行える。
【符号の説明】１                            粘着テープカッター本体
２ａ，２ｂ，２ｃ，２ｄ，２ｅ  環状部を構成する部分
３                            環状を構成する接合部
４                            カッター刃
５ａ                          折り曲げ部
５ｂ                          回動軸
６                            粘着部
７                            粘着テープ引き出し口
８                            非粘着部
９                            粘着テープカッター
１０                          粘着テープのロール
１１                          引き出された粘着テープの先端
【手続補正４】
【補正対象書類名】図面
【補正対象項目名】全図
【補正方法】変更
【補正の内容】
【図１】
0003170978.tif 000005
【図２】
0003170978.tif 000006
【図３】
0003170978.tif 000007